【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
所定の到達点までの経路を計算するように動作可能な経路計算モジュールと、
該所定の到達点に到達するために走行されるべき該経路全体の概観または要約である経路概要リストを作成するように動作可能な経路概要モジュールであって、該経路概要モジュールは、ユーザ入力装置から受信され得る経路概要に対する要求に応答して、該経路概要リストを生成するように動作可能である、経路概要モジュールと、
該経路に関連付けられた該経路概要リストから音響経路概要メッセージを生成するように動作可能な音響メッセージモジュールと
を備え、
該音響経路概要メッセージが生成された後に、該音響経路概要メッセージが所定の時間量内にフィットするように、該音響メッセージモジュールは、少なくとも１つの所定の重み係数に基づいて、該経路概要リストを短縮するように動作可能であり、
該音響メッセージモジュールは、再生成される音響概要メッセージが該所定の時間量内にフィットするように、該短縮された経路概要リストに基づいて該音響概要メッセージを再生成するように動作可能である、ナビゲーションシステム。
【請求項２】
前記音響経路概要メッセージは、少なくとも１つのラウドスピーカにおいて出力される、請求項１に記載のナビゲーションシステム。
【請求項３】
前記経路概要リストは、前記計算された経路上に存在する陸標、商業施設、または、建物の名称を含む、請求項１に記載のナビゲーションシステム。
【請求項４】
前記経路概要リストは、前記経路上の街路名、該経路上の場所名、該経路上の経由点、該経路上の街、該経路上の代替街路名、該経路上の商業施設の位置、該経路上の陸標を含む項目群から選択された少なくとも１つの項目を含む、請求項１に記載のナビゲーションシステム。
【請求項５】
前記所定の重み係数は、前記経路概要リスト内に含まれる各項目に関連付けられた人気ランキングに基づく、請求項１に記載のナビゲーションシステム。
【請求項６】
前記所定の重み係数は、前記経路上において走行されるべき道路区分の長さに基づく、請求項１に記載のナビゲーションシステム。
【請求項７】
前記音響メッセージモジュールは、前記音響経路概要メッセージの一部として、前記所定の到達点への予想到着時間を含むように動作可能である、請求項１に記載のナビゲーションシステム。
【請求項８】
前記音響メッセージモジュールは、音響メッセージデータベースから少なくとも１つの音響ファイルを検索することにより、前記音響経路概要メッセージを生成するように動作可能である、請求項１に記載のナビゲーションシステム。
【請求項９】
ナビゲーションシステムにおいて音響経路情報を生成する方法であって、
所定の到達点までの経路を計算するステップと、
該所定の到達点に到達するために走行されるべき該経路の一般的な概観または要約である経路概要に対する要求を示すユーザ入力を受信するステップと、
該所定の到達点までの経路に基づいて経路概要リストを作成するステップであって、該経路概要リストは、該計算された経路を記述する複数の項目を含む、ステップと、
該経路概要リストに基づいて音響経路概要メッセージを生成するステップと、
該音響経路概要メッセージが生成された後に、該経路概要メッセージ全体が所定の時間量内にフィットするように、少なくとも１つの所定の重み係数に基づいて該経路概要リストを短縮するステップと、
再生成される音響概要メッセージが該所定の時間量内にフィットするように、該短縮された経路概要リストに基づいて該音響概要メッセージを再生成するステップと
を包含する、方法。
【請求項１０】
少なくとも１つのラウドスピーカにおいて前記音響経路概要メッセージを音声として再生するステップをさらに包含する、請求項９に記載の方法。
【請求項１１】
前記経路概要リストを作成するステップは、前記計算された経路上に存在する陸標、商業施設、または、建物の名称を該経路概要リストに含むことを包含する、請求項９に記載の方法。
【請求項１２】
前記経路概要リストを短縮するステップは、前記音響経路概要メッセージが所定の時間枠内にフィットするまで該音響経路概要リストから前記複数の項目を選択的に削除するステップを包含する、請求項９に記載の方法。
【請求項１３】
前記経路概要リストを作成するステップは、前記経路上の街路名、該経路上の場所名、該経路上の経由点、該経路上の街、該経路上の代替街路名、該経路上の商業施設の位置、該経路上の陸標を含む項目群から選択された少なくとも１つの項目を含む、請求項９に記載の方法。
【請求項１４】
前記所定の重み係数は、前記経路概要リスト内に含まれる各項目に関連付けられた人気ランキングに基づく、請求項９に記載の方法。
【請求項１５】
前記所定の重み係数は、前記経路上において走行されるべき道路区分の長さに基づく、請求項９に記載の方法。
【請求項１６】
前記音響経路概要メッセージを生成するステップは、該音響経路概要メッセージの一部として、前記所定の到達点への予想到着時間を含むステップを包含する、請求項９に記載の方法。
【請求項１７】
前記音響経路概要メッセージを生成するステップは、音響メッセージデータベースから少なくとも１つの音響ファイルを検索することにより、該音響経路概要メッセージを生成するステップを包含する、請求項９に記載の方法。
【請求項１８】
所定の到達点までの経路を計算する経路計算手段と、
該計算された経路に基づいて経路概要リストを作成する経路概要手段であって、該経路概要リストは、該所定の到達点に到達するために走行されるべき該経路の一般的な概観または要約であり、該経路概要手段は、経路概要に対する要求を示すユーザ入力の受信に応答して、該経路概要リストを生成するように動作可能である、経路概要手段と、
該経路概要リストに基づいて音響経路概要メッセージを生成する音響信号生成手段と
を備え、
該音響経路概要メッセージが生成された後に、該音響経路概要メッセージが所定の時間量内にフィットするように、該音響信号生成手段は、少なくとも１つの所定の重み係数に基づいて、該経路概要リストを短縮するように動作可能であり、
該音響信号生成手段は、再生成される音響概要メッセージが該所定の時間量内にフィットするように、該短縮された経路概要リストに基づいて該音響概要メッセージを再生成するように動作可能である、ナビゲーションシステム。
【請求項１９】
前記経路概要リストは、前記計算された経路上に存在する陸標、商業施設、または、建物の名称を含む、請求項１８に記載のナビゲーションシステム。
【請求項２０】
前記経路概要リストは、前記経路上の街路名、該経路上の場所名、該経路上の経由点、該経路上の街、該経路上の代替街路名、該経路上の商業施設の位置、該経路上の陸標を含む項目群から選択された少なくとも１つの項目を含む、請求項１８に記載のナビゲーションシステム。
【請求項２１】
前記所定の重み係数は、前記経路概要リスト内に含まれる各項目に関連付けられた人気ランキングに基づく、請求項１８に記載のナビゲーションシステム。
【請求項２２】
前記所定の重み係数は、前記経路上において走行されるべき道路区分の長さに基づく、請求項１８に記載のナビゲーションシステム。
【請求項２３】
前記音響信号生成手段は、前記音響経路概要メッセージの一部として、前記所定の到達点への予想到着時間を含むように動作可能である、請求項１８に記載のナビゲーションシステム。
【請求項２４】
前記音響信号生成手段は、音響メッセージデータベースから少なくとも１つの音響ファイルを検索することにより、前記音響経路概要メッセージを生成するように動作可能である、請求項１８に記載のナビゲーションシステム。
【請求項２５】
ナビゲーションサーバに接続されたナビゲーション制御ユニットと、
該ナビゲーションサーバに配置された経路計算モジュールであって、所定の到達点までの経路を計算するように動作可能な経路計算モジュールと、
該ナビゲーションサーバに配置された経路概要モジュールであって、該計算された経路に基づいて経路概要リストを作成するように動作可能であり、該経路概要リストは、該計算された経路の一般的な概観または要約を表しており、該経路概要モジュールは、ユーザ要求の受信に応答して、経路概要を作成するように動作可能である、経路概要モジュールと、
該ナビゲーションサーバに配置された音響メッセージモジュールであって、該経路概要リストに基づいて音響経路概要メッセージを生成するように動作可能である音響メッセージモジュールと
を備え、
該音響経路概要メッセージが生成された後に、該音響経路概要メッセージが所定の時間量内にフィットするように、該音響メッセージモジュールは、少なくとも１つの所定の重み係数に基づいて、該経路概要リストを短縮するように動作可能であり、
該音響メッセージモジュールは、再生成される音響概要メッセージが該所定の時間量内にフィットするように、該短縮された経路概要リストに基づいて該音響概要メッセージを再生成するように動作可能である、ナビゲーションシステム。
【請求項２６】
前記ナビゲーション制御ユニットは、無線アクセス装置により前記ナビゲーションサーバに接続されている、請求項２５に記載のナビゲーションシステム。
【請求項２７】
前記ナビゲーションサーバは、無線アクセス装置を用いて前記音響経路概要メッセージを前記ナビゲーション制御ユニットに送信するように動作可能である、請求項２５に記載のナビゲーションシステム。
【請求項２８】
前記経路概要リストは、前記経路上の街路名、該経路上の場所名、該経路上の経由点、該経路上の街、該経路上の代替街路名、該経路上の商業施設の位置、該経路上の陸標を含む項目群から選択された少なくとも１つの項目を含む、請求項２５に記載のナビゲーションシステム。
【請求項２９】
前記音響メッセージモジュールは、前記音響経路概要メッセージに前記所定の到達点への予想到着時間を含むように動作可能である、請求項２５に記載のナビゲーションシステム。
【請求項３０】
前記音響メッセージモジュールは、音響メッセージデータベースから少なくとも１つの音響ファイルを検索することにより、前記音響経路概要メッセージを生成するように動作可能である、請求項２５に記載のナビゲーションシステム。
【請求項３１】
音響経路情報を生成する方法であって、
ナビゲーションサーバを用いて所定の到達点までの経路を計算するステップと、
経路概要に対する要求を示すユーザ入力を受信するステップと、
該ユーザ入力に応答して、該ナビゲーションサーバを用いて該所定の到達点までの該計算された経路に基づいて経路概要リストを作成するステップであって、該経路概要リストは、該計算された経路の一般的な概観または要約を表している、ステップと、
該ナビゲーションサーバを用いて、該経路概要リストに基づいて音響経路概要メッセージを生成するステップと、
ナビゲーション制御ユニットによって受信される該音響経路概要メッセージを送信するステップと、
該音響経路概要メッセージが生成された後に、該経路概要メッセージ全体が所定の時間量内にフィットするように、少なくとも１つの所定の重み係数に基づいて該経路概要リストを短縮するステップと、
再生成される音響概要メッセージが該所定の時間量内にフィットするように、該短縮された経路概要リストに基づいて該音響概要メッセージを再生成するステップと
を包含する、方法。
【請求項３２】
前記音響経路概要メッセージを送信するステップは、無線アクセス装置を用いて、前記計算された経路および前記音響経路概要メッセージを前記ナビゲーション制御ユニットに送信することを包含する、請求項３１に記載の方法。
【請求項３３】
前記ナビゲーションサーバを用いて経路概要リストを作成するステップは、前記計算された経路上に存在する陸標、商業施設、または、建物の名称を該経路概要リストに含むことを包含する、請求項３１に記載の方法。
【請求項３４】
前記ナビゲーションサーバを用いて経路概要リストを作成するステップは、前記経路上の街路名、該経路上の場所名、該経路上の経由点、該経路上の街、該経路上の代替街路名、該経路上の商業施設の位置、該経路上の陸標を含む項目群から選択された少なくとも１つの項目を含むことを包含する、請求項３１に記載の方法。
【請求項３５】
前記ナビゲーションサーバを用いて音響経路概要メッセージを生成するステップは、該音響経路概要メッセージに、前記所定の到達点への予想到着時間を追加することを包含する、請求項３１に記載の方法。
【請求項３６】
前記ナビゲーションサーバを用いて音響経路概要メッセージを生成するステップは、音響メッセージデータベースから少なくとも１つの音響ファイルを検索することにより、該音響経路概要メッセージを生成することを包含する、請求項３１に記載の方法。